(57)【要約】【課題】陥没したマンホールの蓋等の嵩上げ処理で、従来行われていた掘削が不要な嵩上げが行え、工期の短縮、コストダウンを図る。【解決手段】マンホールの蓋とマンホールを設置している受枠の間に、嵩上げ部材を介在させる。嵩上げ部材は、受枠の筒状部内部で支持される嵌め込み部と、マンホール蓋を支持する受部とを有している。受部の外径は嵌め込み部の外径より大きく、前記受部には、当該受部を構成する壁を貫通する縦穴が形成され、前記縦穴の下端部は、前記受部の外径が嵌め込み部の外径より大きいことにより形成されている下側段部に露出している。また、前記嵌め込み部には、当該嵌め込み部を構成する外壁表面に溝が形成されているか、または当該嵌め込み部を構成する壁を貫通する横穴が形成されていることを特徴とする【選択図】図２
2018003575.tif 000002
【特許請求の範囲】
【請求項１】
マンホール蓋と筒状部を有する受枠との間に介在され、筒状部を有する嵩上げ部材であって、
前記嵩上げ部材は、前記受枠の前記筒状部内部で支持される嵌め込み部と、前記マンホール蓋を支持する受部とを有し、前記受部の外径は嵌め込み部の外径より大きく、
前記嵌め込み部には、当該嵌め込み部を構成する外壁表面に溝が形成されているか、または当該嵌め込み部を構成する壁を貫通する横穴が形成されていることを特徴とするマンホールの嵩上げ部材。
【請求項２】
前記受部には、当該受部を構成する壁を貫通する縦穴が形成されており、前記縦穴の下端部は、前記受部の外径が嵌め込み部の外径より大きいことにより形成されている下側段部に露出していることを特徴とする請求項１に記載のマンホールの嵩上げ部材。
【請求項３】
マンホール本体と、マンホール蓋と、筒状部を有する受枠と、前記マンホール蓋と前記受枠との間に介在され、筒状部を有し且つ前記受枠の筒状部に嵌め込まれる嵌め込み部とマンホール蓋を支持する受部とを有する嵩上げ部材とからなり、
前記嵩上げ部材の前記嵌め込み部の外表面に形成された溝に接着剤を充填し、次いで、前記嵩上げ部材を受枠の筒状部に嵌め込み、
この後、前記嵩上げ部材の前記受部に前記マンホール蓋を嵌め込むことを特徴とするマンホールの嵩上げ工法。
【請求項４】
マンホール本体と、マンホール蓋と、筒状部を有する受枠と、前記マンホール蓋と前記受枠との間に介在され、筒状部を有し且つ前記受枠の筒状部に嵌め込まれる嵌め込み部とマンホール蓋を支持する受部とを有する嵩上げ部材とからなり、
前記嵩上げ部材の前記嵌め込み部を構成する壁に形成された横穴に接着剤を充填し、次いで、前記嵩上げ部材を受枠の筒状部に嵌め込み、
この後、前記嵩上げ部材の前記受部に前記マンホール蓋を嵌め込むことを特徴とするマンホールの嵩上げ工法。
【請求項６】
マンホール本体と、マンホール蓋と、筒状部を有する受枠と、前記マンホール蓋と前記受枠との間に介在され、筒状部を有し且つ前記受枠の筒状部に嵌め込まれる嵌め込み部とマンホール蓋を支持する受部とを有する嵩上げ部材とからなり、
前記嵩上げ部材は前記嵌め込み部を構成する壁に横穴が形成されたものからなり、前記嵩上げ部材を受枠の筒状部に嵌め込み、前記横穴に接着剤を充填するか、または前記横穴を介して前記嵩上げ部材を溶接により前記嵌め込み部を受枠に固定し、
この後、前記嵩上げ部材の前記受部に前記マンホール蓋を嵌め込むことを特徴とするマンホールの嵩上げ工法。
【請求項７】
マンホール本体と、マンホール蓋と、筒状部を有する受枠と、前記マンホール蓋と前記受枠との間に介在され、筒状部を有し且つ前記受枠の筒状部に嵌め込まれる嵌め込み部とマンホール蓋を支持する受部とを有する嵩上げ部材とからなり、
前記嵩上げ部材の受部には、当該受部を構成する壁を貫通する縦穴が形成されており、前記縦穴の下端部は、前記受部の外径が嵌め込み部の外径より大きいことにより形成されている下側段部に露出しており、
前記嵩上げ部材を前記受枠の筒状部に嵌め込み、前記縦穴に接着剤を充填するか、または前記縦穴を介して前記嵩上げ部材を溶接により前記受部を受枠に固定し、
この後、前記嵩上げ部材の前記受部に前記マンホール蓋を嵌め込むことを特徴とするマンホールの嵩上げ工法。
【請求項８】
マンホール本体と、マンホール蓋と、筒状部を有する受枠と、前記マンホール蓋と前記受枠との間に介在され、筒状部を有し且つ前記受枠の筒状部に嵌め込まれる嵌め込み部とマンホール蓋を支持する受部とを有する嵩上げ部材とからなり、
前記マンホール蓋は、その外周面に上面側から下面側へ徐々に小径とされたテーパ面が形成されており、
前記受枠は、その内周面に、前記マンホール蓋のテーパ面に対応して前記筒状部の上端部側から下端部側へ徐々に小径とされたテーパ面が形成されており、
前記嵩上げ部材は、前記受枠の筒状部内部で支持される嵌め込み部と、前記マンホール蓋を支持する受部とを有し、前記嵌め込み部は外壁周面にはその途中に設けた下側段部により小径部が形成されており、この小径部から下端部側へ徐々に小径とされた下側テーパ面を有しており、前記受部は上端部側から筒状部内壁途中の上側段部まで、徐々に小径とされた上側テーパ面を有しており、
前記嵩上げ部材と前記受枠とは、下記（１）〜（４）のいずれかの構成により、互いに接合されていることを特徴とするマンホール。
（１）前記嵩上げ部材の前記嵌め込み部の下側テーパ面に形成された溝に接着剤が充填されているか、または前記嵌め込み部を構成する壁に形成された横穴に接着剤を充填された構成。
（２）前記嵩上げ部材の前記嵌め込み部を構成する壁に形成された横穴を介して前記受枠に前記嵩上げ部材が溶接されている構成。
（３）前記嵩上げ部材の前記受部の前記上端部より前記下側段部に縦穴が形成されており、前記縦穴に接着剤が充填されている構成。
（４）前記嵩上げ部材の前記受部の前記上端部より前記下側段部に縦穴が形成されており、前記縦穴を介して前記受枠に前記嵩上げ部材が溶接されている構成。
【発明の詳細な説明】
【技術分野】
【０００１】  本発明は、道路面に設置しているマンホールの陥没を嵩上げするマンホールの嵩上げ部材、マンホールの嵩上げ工法、及びマンホールに関する。
【背景技術】
【０００２】  マンホールは地下に埋設されている下水管等の管路の途中に設けられ、その最上部に鋳鉄製等の蓋が取り付けたもので、点検時には作業員が蓋を開閉して出入りしている。
マンホールはその殆どが道路上にあり、特に、車道上にあるマンホールは、経年による通行車両の輪荷重で、マンホールの蓋と受枠が陥没している状態のものが見受けられる。【０００３】  道路上のマンホールの蓋等が陥没していては通行の障害となり、大きな事故の原因になる。平成１８年度調査では、マンホールの蓋等の陥没に起因する事故は全国で４，４００箇所にもなり、報告のない事故はその数倍にもなると言われ、これらの総数は年々増加している。全国のマンホール数は１，２００万個にもなっていることからも、早期にマンホールの陥没箇所の補修が求められている。【０００４】  マンホールの蓋等の陥没を補修するものとして、特許文献１のような蓋の受枠が提案されている。この技術は、マンホールの蓋の受枠を上下に２分割して蓋受部と台座部としており、蓋受部に脚片を設けて台座部に嵌合連結できるようにすると共に、台座部でも蓋板が嵌合担持できるよう構成したものである。
このような構造とすることで、道路の補修時に掘削を機械などで迅速に行え、かつ、車輌の通過に差し支えないような蓋板の受枠を提供できるとしている。
【先行技術文献】
【特許文献】
【０００５】
【特許文献１】  特許第４０２６０３２号
【発明の概要】
【発明が解決しようとする課題】
【０００６】  特許文献１の受枠によれば、分割している蓋受部と台座部の両者を嵌合し連結するために、連結棚を内壁面に設け、蓋受部の連結棚にはボルト挿通溝を設け、一方、台座部の連結棚には螺子孔を設けている。そして、ボルト挿通孔と螺子孔にボルトを挿通して蓋受部と台座部を連結した構造になっている。
したがって、台座部に蓋受部を積み重ね、両者を連結するには、蓋受部の連結棚と棚状片の間にあるスペースにボルトの頭を位置させ、台座部の連結棚の螺子孔にボルトを螺合させる作業を行うことになる。【０００７】  このような連結構造では、台座部の螺子孔と台座部の上にある蓋受部のボルト挿通溝との位置合わせが必要となる。さらには、蓋受部の連結棚と棚状片の間にある狭いスペースでボルト締め作業を行うことになり、蓋補修作業者への負担が大きいものとなっている。【０００８】  本発明は、このような従来のマンホールの蓋補修作業の課題を解決しようとするもので、補修作業負担を軽減することができるマンホールの嵩上げ部材、マンホールの嵩上げ工法、及びマンホールを提供するものである。
【課題を解決するための手段】
【０００９】  本発明の第１の発明となるマンホールの嵩上げ部材は、以下の構成からなる。
本発明の第１の発明の第１の要旨は、
マンホール蓋と筒状部を有する受枠との間に介在され、筒状部を有する嵩上げ部材であって、
前記嵩上げ部材は、前記受枠の前記筒状部内部で支持される嵌め込み部と、前記マンホール蓋を支持する受部とを有し、前記受部の外径は嵌め込み部の外径より大きく、
前記嵌め込み部には、当該嵌め込み部を構成する外壁表面に溝が形成されているか、または当該嵌め込み部を構成する壁を貫通する横穴が形成されていることを特徴とするマンホールの嵩上げ部材である。【００１０】  本発明の第１の発明の第２の要旨は、第１の要旨において、
前記受部には、当該受部を構成する壁を貫通する縦穴が形成されており、前記縦穴の下端部は、前記受部の外径が嵌め込み部の外径より大きいことにより形成されている下側段部に露出していることを特徴とするマンホールの嵩上げ部材である。【００１１】  次ぎに、本発明の第２の発明となるマンホールの嵩上げ工法の第１の要旨は、
マンホール本体と、マンホール蓋と、筒状部を有する受枠と、前記マンホール蓋と前記受枠との間に介在され、筒状部を有し且つ前記受枠の筒状部に嵌め込まれる嵌め込み部とマンホール蓋を支持する受部とを有する嵩上げ部材とからなり、
前記嵩上げ部材の前記嵌め込み部の外表面に形成された溝に接着剤を充填し、次いで、前記嵩上げ部材を受枠の筒状部に嵌め込み、
この後、前記嵩上げ部材の前記受部に前記マンホール蓋を嵌め込むことを特徴とするマンホールの嵩上げ工法である。【００１２】  本発明の第２の発明となるマンホールの嵩上げ構造の第２の要旨は、
マンホール本体と、マンホール蓋と、筒状部を有する受枠と、前記マンホール蓋と前記受枠との間に介在され、筒状部を有し且つ前記受枠の筒状部に嵌め込まれる嵌め込み部とマンホール蓋を支持する受部とを有する嵩上げ部材とからなり、
前記嵩上げ部材の前記嵌め込み部を構成する壁に形成された横穴に接着剤を充填し、次いで、前記嵩上げ部材を受枠の筒状部に嵌め込み、
この後、前記嵩上げ部材の前記受部に前記マンホール蓋を嵌め込むことを特徴とするマンホールの嵩上げ工法である。【００１３】  本発明の第２の発明となるマンホールの嵩上げ構造の第３の要旨は、
マンホール本体と、マンホール蓋と、筒状部を有する受枠と、前記マンホール蓋と前記受枠との間に介在され、筒状部を有し且つ前記受枠の筒状部に嵌め込まれる嵌め込み部とマンホール蓋を支持する受部とを有する嵩上げ部材とからなり、
前記嵩上げ部材は前記嵌め込み部を構成する壁に横穴が形成されたものからなり、前記嵩上げ部材を受枠の筒状部に嵌め込み、前記横穴に接着剤を充填するか、または前記横穴を介して前記嵩上げ部材を溶接により前記嵌め込み部を受枠に固定し、
この後、前記嵩上げ部材の前記受部に前記マンホール蓋を嵌め込むことを特徴とするマンホールの嵩上げ工法である。【００１４】  本発明の第２の発明となるマンホールの嵩上げ構造の第４の要旨は
マンホール本体と、マンホール蓋と、筒状部を有する受枠と、前記マンホール蓋と前記受枠との間に介在され、筒状部を有し且つ前記受枠の筒状部に嵌め込まれる嵌め込み部とマンホール蓋を支持する受部とを有する嵩上げ部材とからなり、
前記嵩上げ部材の受部には、当該受部を構成する壁を貫通する縦穴が形成されており、前記縦穴の下端部は、前記受部の外径が嵌め込み部の外径より大きいことにより形成されている下側段部に露出しており、
前記嵩上げ部材を前記受枠の筒状部に嵌め込み、前記縦穴に接着剤を充填するか、または前記縦穴を介して前記嵩上げ部材を溶接により前記受部を受枠に固定し、
この後、前記嵩上げ部材の前記受部に前記マンホール蓋を嵌め込むことを特徴とするマンホールの嵩上げ工法である。【００１５】  本発明の第３の発明となるマンホールの要旨は、
マンホール本体と、マンホール蓋と、筒状部を有する受枠と、前記マンホール蓋と前記受枠との間に介在され、筒状部を有し且つ前記受枠の筒状部に嵌め込まれる嵌め込み部とマンホール蓋を支持する受部とを有する嵩上げ部材とからなり、
前記マンホール蓋は、その外周面に上面側から下面側へ徐々に小径とされたテーパ面が形成されており、
前記受枠は、その内周面に、前記マンホール蓋のテーパ面に対応して前記筒状部の上端部側から下端部側へ徐々に小径とされたテーパ面が形成されており、
前記嵩上げ部材は、前記受枠の筒状部内部で支持される嵌め込み部と、前記マンホール蓋を支持する受部とを有し、前記嵌め込み部は外壁周面にはその途中に設けた下側段部により小径部が形成されており、この小径部から下端部側へ徐々に小径とされた下側テーパ面を有しており、前記受部は上端部側から筒状部内壁途中の上側段部まで、徐々に小径とされた上側テーパ面を有しており、
前記嵩上げ部材と前記受枠とは、下記（１）〜（４）のいずれかの構成により、互いに接合されていることを特徴とするマンホール。
（１）前記嵩上げ部材の前記嵌め込み部の下側テーパ面に形成された溝に接着剤が充填されているか、または前記嵌め込み部を構成する壁に形成された横穴に接着剤を充填された構成。
（２）前記嵩上げ部材の前記嵌め込み部を構成する壁に形成された横穴を介して前記受枠に前記嵩上げ部材が溶接されている構成。
（３）前記嵩上げ部材の前記受部の前記上端部より前記下側段部に縦穴が形成されており、前記縦穴に接着剤が充填されている構成。
（４）前記嵩上げ部材の前記受部の前記上端部より前記下側段部に縦穴が形成されており、前記縦穴を介して前記受枠に前記嵩上げ部材が溶接されている構成。
【発明の効果】
【００１６】  本発明の第１の発明となるマンホールの嵩上げ部材によれば、嵩上げ部材の嵌め込み部に溝または横穴あるいは縦穴が設けられており、これら溝または横穴あるいは縦穴を利用した接着剤の充填または溶接作業により、嵌め込み部を受枠に固定することができる。したがって、受枠の上に嵩上げ部材を設置することでマンホールの嵩上げが行え、設置に厳密な位置合せが不要となり、さらに面倒なボルト締め作業も不要となる。【００１７】  本発明の第２の発明となるマンホールの嵩上げ工法によれば、マンホールの蓋を取り除いてから、受枠の上に嵩上げ部材を設置し、取り除いたマンホールの蓋を嵩上げ部材の上に設置することで、陥没したマンホールの蓋の嵩上げ作業が行える工法であるので、掘削が不要となる。
また、嵩上げ部材を受枠に接着剤で固定する場合、受枠と面接合の状態となるので、接着の役割の他に緩衝材としての役割を果たすことになり、自動車通過時の騒音を減少させることができる。
さらに、嵩上げ部材を受枠に溶接で固定する場合、嵩上げ部材が受枠に強固に固定されており、自動車の通過時の振動による分離の恐れがなくなる。したがって、嵩上げ部材と受枠をボルトなどで締着した場合、ボルトの緩みによるガタツキの恐れもなく、ガタツキによる自動車通過時の騒音発生を抑制することができる。【００１８】  本発明の第３の発明となるマンホールによれば、マンホール蓋と受枠との間に、嵩上げ部材を介在させた構造であり、マンホール蓋を取り外して、受枠の上に嵩上げ部材を設置する構造となっていることから、道路の掘削が不要となり、高さ調整するために準備した嵩上げ部材を設置するだけでマンホールの補修が行え、陥没対策に有効なマンホールの構造である。
【図面の簡単な説明】
【００１９】
【図１】マンホール全体の概要を示す図
【図２】本発明のマンホールの嵩上げ工法を説明するための分解斜視図
【図３】本発明の嵩上げ部材を示す一部断面斜視図
【図４】本発明の嵩上げ部材を受枠に設置した例を示す一部断面斜視図
【発明を実施するための形態】
【００２０】  以下、本発明の実施の形態について図にもとづいて説明する。本発明においては、まず第１の発明に係る嵩上げ部材を用いて補修したマンホール全体の概要を説明する。
図１はマンホールの全体の概要を示し、マンホール本体１０と、マンホール蓋２０と、マンホール蓋２０の受枠３０と、マンホール蓋２０と受枠３０の間に介在された嵩上げ部材４０とからなる。マンホール本体１０の底部には下水道管１１が設置されている。
【００２１】  このような構成のマンホールにおいて、図２にもとづいてマンホール蓋２０を説明する。このマンホール蓋２０は円盤状であり、鋳鉄製のものからなる。マンホール蓋２０の周側面は下に向かって縮径するテーパ面２１となっている。
【００２２】  次ぎに、マンホール蓋２０を設置する場合に通常使われている受枠３０について説明する。この受枠３０はマンホール蓋２０と同しく円盤状であり、マンホール蓋２０を支持する筒状部３１を有し、筒状部３１の内壁は開口端部３３に向かって上に拡開するテーパ面３２を有する。筒状部３４を構成する壁の内部中段には段部３４が形成されている。
【００２３】  次ぎに、本発明の第１の発明である嵩上げ部材４０について説明する。この嵩上げ部材４０は筒状部４１を有し、嵌め込み部４２と受部４３とからなる。
嵌め込み部４２は受枠３０の筒状部３１内部で支持される。また受部４３はマンホール蓋２０を支持する。受部４３の外径は嵌め込み部４２の外径より大きくなっており、受部４３の外径が嵌め込み部４２の外径より大きくなっていることで下側段部４４が形成されている。
図２に示されているように、嵌め込み部４２は、下側テーパ面４５を有しており、受枠３０の筒状部３１内部のテーパ面３２に支持される。この嵌め込み部４２はその外壁表面に中央の波線を境に左側に溝４６、右側に横穴４７が例示されている。溝４６としては横溝、縦溝、格子状溝などがある。また、横穴４７は嵌め込み部４２を構成する壁を貫通して形成されている。
【００２４】  溝４６は接着剤が充填されるものとなり、受枠３０に嵩上げ部材４０を接着固定する役割を果たす。また横穴４７に接着剤が充填されることにより、受枠３０に嵩上げ部材４０接着固定する役割を果たす。この他、横穴４７を介して嵩上げ部材４０を受枠２０に溶接することにより、受枠３０に嵩上げ部材４０を固定するようにしてもよい。
嵩上げ部材４０の受部４３は、上端部４８側から筒状部４１の内壁途中までマンホール蓋２０のテーパ面２１を支持する上側テーパ面５０を有するとともに、マンホール蓋２０の下部端面を支持する上側段部４９を有している。
【００２５】  次ぎに、本発明の第２の発明であるマンホールの嵩上げ工法について説明する。
マンホールの嵩上げ工法の第１の例として、図２で説明した嵩上げ部材４０として、下側テーパ面４５に溝４６を形成しているものについて説明する。
嵩上げ部材４０の溝４６の領域に、例えば、エポキシ系の接着剤（図示せず）を充填しておく。そののち、この嵩上げ部材４０を図１のマンホール本体１０に設置する。詳しくは、図２に示している受枠３０の筒状部３１に嵩上げ部材４０を挿入し、嵌め込み部４２を嵌め込む作業を行う。この作業で接着剤が硬化し、嵩上げ部材４０が受枠３０に固定される。次いで、嵩上げ部材４０の筒状部４１にマンホール蓋２０を挿入、嵌め込む。この作業で陥没していたマンホールの補修を完了する。
【００２６】  このほか、マンホールの嵩上げ工法の第２の例として、図２において示したように、嵌め込み部４２を構成する壁に横穴４７を形成した嵩上げ部材４０を用いた場合について説明する。
まず、嵌め込み部４２を構成する壁に形成された横穴４７にあらかじめエポキシ系の接着剤を充填しておく。次いで、嵩上げ部材４０を受枠３０の筒状部３１に挿入、嵌め込む作業を行う。この作業で横穴４７に充填された接着剤が硬化し、嵩上げ部材４０が受枠３０に固定される。この後、嵩上げ部材４０の受部４３にマンホール蓋２０を嵌め込み、陥没しているマンホールの補修を完了する。
【００２７】  さらに、マンホールの嵩上げ工法の第３の例を説明する。
ここでは、嵩上げ部材４０として、嵌め込み部４２を構成する壁に横穴４７を形成したものを用いた場合について説明する。
あらかじめ先に、嵩上げ部材４０を受枠３０の筒状部３１に嵌め込んでおく。そして、横穴４７にエポキシ系の接着剤を充填し、固化するか、または横穴４７を介して嵩上げ部材４０を溶接により、嵌め込み部４２を受枠３０に固定する。この後、嵩上げ部材４０の受部４３にマンホール蓋１０を嵌め込み、陥没しているマンホールの補修を完了する。
【００２８】  さらにまた、本発明のマンホールの嵩上げ工法の第４の例について、図３、図４にもとづいてそれぞれ説明する。ここでは、図２において示した箇所で重複するものは説明を省略する。
図３は、嵩上げ部材４０の一部断面斜視図を示している。図３において、嵩上げ部材４０において、嵌め込み部４１に横穴４７を有するとともに、受部４３には、その受部４３を構成する壁の上端部４８から下側段部４４を貫通する縦穴５１が形成されている。この縦穴４９には接着剤が充填され、硬化することで、受枠３０に固定されている。または縦穴４９を介して嵩上げ部材４０が受枠３０に溶接されて固定される。
なお、この第４の例において、横穴４７を形成せず、縦穴５１を形成した嵩上げ部材としてもよい。
【００２９】  次ぎに、図４について説明する。受枠３０と嵩上げ部材４０とが互いの接触面の間に接着剤５２が介在し、両者が固定されたものである。
このような構成にするには、受枠３０が嵩上げ部材４０と面接触する箇所に予め接着剤を塗布しておき、その後、嵩上げ部材を受枠３０の筒状部３１に嵌め込み、上から荷重を加えて相互に密着させ、接着剤を硬化させることで、堅く締まった状態で安定することになる。
【００３０】  以上説明した工法により補修されたマンホールは、以下のような構造になる。
図１、図２にもとづいて説明すると、まず、マンホール本体１０と、マンホール蓋２０と、筒状部３１を有する受枠３０と、マンホール蓋１０と受枠３０との間に介在され、筒状部４１を有し且つ前記受枠３０の筒状部３１に嵌め込まれる嵌め込み部４２とマンホール蓋１０を支持する受部４３とを有する嵩上げ部材４０とからなっている。
【００３１】  ここで、まずマンホール蓋１０は、その外周面に上面側から下面側へ徐々に小径とされたテーパ面２１が形成されている。
受枠３０は、その内周面に、マンホール蓋２０のテーパ面２１に対応して筒状部３１の上端部から下端部側に向けて徐々に小径とされたテーパ面３２が形成されている。
また、嵩上げ部材４０は、受枠３０の筒状部３１の内部で支持される嵌め込み部４２と、マンホール蓋２０を支持する受部４３とを有する。嵌め込み部４２はその外壁周面の途中に設けた下側段部４４により小径部が形成されており、この小径部から下端部側へ徐々に小径とされた下側テーパ面４５を有している。受部４３は上端部４８側から筒状部４１の内壁途中の上側段部４９まで、徐々に小径とされた上側テーパ面５０を有している。
【００３２】  そして、嵩上げ部材４０と受枠３０とは、下記（１）〜（４）のいずれかの構成により、互いに接合されてマンホールが構成されている。
（１）嵩上げ部材４０の嵌め込み部４２の下側テーパ面４５に形成された溝４６に接着剤が充填されているか、または嵌め込み部４２を構成する壁に形成された横穴４７に接着剤を充填された構成。
（２）嵩上げ部材４０の嵌め込み部４２を構成する壁に形成された横穴４７を介して受枠３０に嵩上げ部材４０が溶接されている構成。
（３）嵩上げ部材４０の受部４３の上端部４８より下側段部４４に縦穴５１が形成されており、縦穴５１に接着剤が充填されている構成。
（４）嵩上げ部材４０の受部４３の上端部４８より下側段部４４に縦穴５１が形成されており、縦穴５１を介して受枠３０に嵩上げ部材４０が溶接されている構成。
以上の構成により、陥没したマンホールを補修した構成とすることになり、その多くが道路上に設置されているマンホールの陥没に起因する事故の減少に貢献することができる。
【符号の説明】
【００３３】１０  マンホール本体
１１  下水道管
２０  マンホール蓋
２１  テーパ面
３０  受枠
３１  筒状部
３２  テーパ面
３３  開口端部
３４  段部
４０  嵩上げ部材
４１  筒状部
４２  嵌め込み部
４３  受部
４４  下側段部
４５  下側テーパ面
４６  溝
４７  横穴
４８  上端部
４９  上側段部
５０  上側テーパ面
５１  縦穴
５２  接着剤
【図１】
2018003575.tif 000003
【図２】
2018003575.tif 000004
【図３】
2018003575.tif 000005
【図４】
2018003575.tif 000006
【手続補正書】
【提出日】平成29年3月7日(2017.3.7)
【手続補正１】
【補正対象書類名】特許請求の範囲
【補正対象項目名】全文
【補正方法】変更
【補正の内容】
【特許請求の範囲】
【請求項１】
マンホール蓋と筒状部を有する受枠との間に介在され、筒状部を有する嵩上げ部材であって、
前記嵩上げ部材は、前記受枠の前記筒状部内部で支持される嵌め込み部と、前記マンホール蓋を支持する受部とを有し、前記受部の外径は嵌め込み部の外径より大きく、
前記嵌め込み部には、当該嵌め込み部を構成する外壁表面に溝が形成されているか、または当該嵌め込み部を構成する壁を貫通する横穴が形成されていることを特徴とするマンホールの嵩上げ部材。
【請求項２】
前記受部には、当該受部を構成する壁を貫通する縦穴が形成されており、前記縦穴の下端部は、前記受部の外径が嵌め込み部の外径より大きいことにより形成されている下側段部に露出していることを特徴とする請求項１に記載のマンホールの嵩上げ部材。
【請求項３】
マンホール本体と、マンホール蓋と、筒状部を有する受枠と、前記マンホール蓋と前記受枠との間に介在され、筒状部を有し且つ前記受枠の筒状部に嵌め込まれる嵌め込み部とマンホール蓋を支持する受部とを有する嵩上げ部材とからなり、
前記嵩上げ部材の前記嵌め込み部の外表面に形成された溝に接着剤を充填し、次いで、前記嵩上げ部材を受枠の筒状部に嵌め込み、
この後、前記嵩上げ部材の前記受部に前記マンホール蓋を嵌め込むことを特徴とするマンホールの嵩上げ工法。
【請求項４】
マンホール本体と、マンホール蓋と、筒状部を有する受枠と、前記マンホール蓋と前記受枠との間に介在され、筒状部を有し且つ前記受枠の筒状部に嵌め込まれる嵌め込み部とマンホール蓋を支持する受部とを有する嵩上げ部材とからなり、
前記嵩上げ部材の前記嵌め込み部を構成する壁に形成された横穴に接着剤を充填し、次いで、前記嵩上げ部材を受枠の筒状部に嵌め込み、
この後、前記嵩上げ部材の前記受部に前記マンホール蓋を嵌め込むことを特徴とするマンホールの嵩上げ工法。
【請求項５】
マンホール本体と、マンホール蓋と、筒状部を有する受枠と、前記マンホール蓋と前記受枠との間に介在され、筒状部を有し且つ前記受枠の筒状部に嵌め込まれる嵌め込み部とマンホール蓋を支持する受部とを有する嵩上げ部材とからなり、
前記嵩上げ部材は前記嵌め込み部を構成する壁に横穴が形成されたものからなり、前記嵩上げ部材を受枠の筒状部に嵌め込み、前記横穴に接着剤を充填するか、または前記横穴を介して前記嵩上げ部材を溶接により前記嵌め込み部を受枠に固定し、
この後、前記嵩上げ部材の前記受部に前記マンホール蓋を嵌め込むことを特徴とするマンホールの嵩上げ工法。
【請求項６】
マンホール本体と、マンホール蓋と、筒状部を有する受枠と、前記マンホール蓋と前記受枠との間に介在され、筒状部を有し且つ前記受枠の筒状部に嵌め込まれる嵌め込み部とマンホール蓋を支持する受部とを有する嵩上げ部材とからなり、
前記嵩上げ部材の受部には、当該受部を構成する壁を貫通する縦穴が形成されており、前記縦穴の下端部は、前記受部の外径が嵌め込み部の外径より大きいことにより形成されている下側段部に露出しており、
前記嵩上げ部材を前記受枠の筒状部に嵌め込み、前記縦穴に接着剤を充填するか、または前記縦穴を介して前記嵩上げ部材を溶接により前記受部を受枠に固定し、
この後、前記嵩上げ部材の前記受部に前記マンホール蓋を嵌め込むことを特徴とするマンホールの嵩上げ工法。
【請求項７】
マンホール本体と、マンホール蓋と、筒状部を有する受枠と、前記マンホール蓋と前記受枠との間に介在され、筒状部を有し且つ前記受枠の筒状部に嵌め込まれる嵌め込み部とマンホール蓋を支持する受部とを有する嵩上げ部材とからなり、
前記マンホール蓋は、その外周面に上面側から下面側へ徐々に小径とされたテーパ面が形成されており、
前記受枠は、その内周面に、前記マンホール蓋のテーパ面に対応して前記筒状部の上端部側から下端部側へ徐々に小径とされたテーパ面が形成されており、
前記嵩上げ部材は、前記受枠の筒状部内部で支持される嵌め込み部と、前記マンホール蓋を支持する受部とを有し、前記嵌め込み部は外壁周面にはその途中に設けた下側段部により小径部が形成されており、この小径部から下端部側へ徐々に小径とされた下側テーパ面を有しており、前記受部は上端部側から筒状部内壁途中の上側段部まで、徐々に小径とされた上側テーパ面を有しており、
前記嵩上げ部材と前記受枠とは、下記（１）〜（４）のいずれかの構成により、互いに接合されていることを特徴とするマンホール。
（１）前記嵩上げ部材の前記嵌め込み部の下側テーパ面に形成された溝に接着剤が充填されているか、または前記嵌め込み部を構成する壁に形成された横穴に接着剤を充填された構成。
（２）前記嵩上げ部材の前記嵌め込み部を構成する壁に形成された横穴を介して前記受枠に前記嵩上げ部材が溶接されている構成。
（３）前記嵩上げ部材の前記受部の前記上端部より前記下側段部に縦穴が形成されており、前記縦穴に接着剤が充填されている構成。
（４）前記嵩上げ部材の前記受部の前記上端部より前記下側段部に縦穴が形成されており、前記縦穴を介して前記受枠に前記嵩上げ部材が溶接されている構成。
【手続補正書】
【提出日】平成29年8月22日(2017.8.22)
【手続補正１】
【補正対象書類名】特許請求の範囲
【補正対象項目名】全文
【補正方法】変更
【補正の内容】
【特許請求の範囲】
【請求項１】
マンホール蓋と筒状部を有する受枠との間に介在され、筒状部を有する嵩上げ部材であって、
前記嵩上げ部材は、前記受枠の前記筒状部内部で支持される嵌め込み部と、前記マンホール蓋を支持する受部とを有し、
前記受部の外径は嵌め込み部の外径より大きく、前記受部には、当該受部を構成する壁を貫通する縦穴が形成され、前記縦穴の下端部は、前記受部の外径が嵌め込み部の外径より大きいことにより形成されている下側段部に露出しており、
前記嵌め込み部には、当該嵌め込み部を構成する外壁表面に溝が形成されているか、または当該嵌め込み部を構成する壁を貫通する横穴が形成されていることを特徴とするマンホールの嵩上げ部材。
【請求項２】
マンホール本体と、マンホール蓋と、筒状部を有する受枠と、前記マンホール蓋と前記受枠との間に介在され、筒状部を有し且つ前記受枠の筒状部に嵌め込まれる嵌め込み部とマンホール蓋を支持する受部とを有する嵩上げ部材とからなり、
前記嵩上げ部材の受部には、当該受部を構成する壁を貫通する縦穴が形成されており、前記縦穴の下端部は、前記受部の外径が嵌め込み部の外径より大きいことにより形成されている下側段部に露出しており、
前記嵩上げ部材を前記受枠の筒状部に嵌め込み、前記縦穴に接着剤を充填するか、または前記縦穴を介して前記嵩上げ部材を溶接により前記受部を受枠に固定し、
この後、前記嵩上げ部材の前記受部に前記マンホール蓋を嵌め込むことを特徴とするマンホールの嵩上げ工法。
【請求項３】
マンホール本体と、マンホール蓋と、筒状部を有する受枠と、前記マンホール蓋と前記受枠との間に介在され、筒状部を有し且つ前記受枠の筒状部に嵌め込まれる嵌め込み部とマンホール蓋を支持する受部とを有する嵩上げ部材とからなり、
前記マンホール蓋は、その外周面に上面側から下面側へ徐々に小径とされたテーパ面が形成されており、
前記受枠は、その内周面に、前記マンホール蓋のテーパ面に対応して前記筒状部の上端  部側から下端部側へ徐々に小径とされたテーパ面が形成されており、
前記嵩上げ部材は、前記受枠の筒状部内部で支持される嵌め込み部と、前記マンホール蓋を支持する受部とを有し、前記嵌め込み部は外壁周面にはその途中に設けた下側段部により小径部が形成されており、この小径部から下端部側へ徐々に小径とされた下側テーパ面を有しており、前記受部は上端部側から筒状部内壁途中の上側段部まで、徐々に小径とされた上側テーパ面を有しており、
前記嵩上げ部材と前記受枠とは、下記（１）〜（４）のいずれかの構成により、互いに接合されていることを特徴とするマンホール。
（１）前記嵩上げ部材の前記嵌め込み部の下側テーパ面に形成された溝に接着剤が充填されているか、または前記嵌め込み部を構成する壁に形成された横穴に接着剤を充填された構成。
（２）前記嵩上げ部材の前記嵌め込み部を構成する壁に形成された横穴を介して前記受枠に前記嵩上げ部材が溶接されている構成。
（３）前記嵩上げ部材の前記受部の前記上端部より前記下側段部に縦穴が形成されており、前記縦穴に接着剤が充填されている構成。
（４）前記嵩上げ部材の前記受部の前記上端部より前記下側段部に縦穴が形成されており、前記縦穴を介して前記受枠に前記嵩上げ部材が溶接されている構成。
【手続補正２】
【補正対象書類名】明細書
【補正対象項目名】０００９
【補正方法】変更
【補正の内容】
【０００９】  本発明の第１の発明となるマンホールの嵩上げ部材は、以下の構成からなる。
本発明の第１の発明の要旨は、
マンホール蓋と筒状部を有する受枠との間に介在され、筒状部を有する嵩上げ部材であって、
前記嵩上げ部材は、前記受枠の前記筒状部内部で支持される嵌め込み部と、前記マンホール蓋を支持する受部とを有し、
前記受部の外径は嵌め込み部の外径より大きく、前記受部には、当該受部を構成する壁を貫通する縦穴が形成され、前記縦穴の下端部は、前記受部の外径が嵌め込み部の外径より大きいことにより形成されている下側段部に露出しており、
前記嵌め込み部には、当該嵌め込み部を構成する外壁表面に溝が形成されているか、または当該嵌め込み部を構成する壁を貫通する横穴が形成されていることを特徴とするマンホールの嵩上げ部材である。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】    本発明の第２の発明となるマンホールの嵩上げ工法の要旨は
マンホール本体と、マンホール蓋と、筒状部を有する受枠と、前記マンホール蓋と前記受枠との間に介在され、筒状部を有し且つ前記受枠の筒状部に嵌め込まれる嵌め込み部とマンホール蓋を支持する受部とを有する嵩上げ部材とからなり、
前記嵩上げ部材の受部には、当該受部を構成する壁を貫通する縦穴が形成されており、前記縦穴の下端部は、前記受部の外径が嵌め込み部の外径より大きいことにより形成されている下側段部に露出しており、
前記嵩上げ部材を前記受枠の筒状部に嵌め込み、前記縦穴に接着剤を充填するか、または前記縦穴を介して前記嵩上げ部材を溶接により前記受部を受枠に固定し、
この後、前記嵩上げ部材の前記受部に前記マンホール蓋を嵌め込むことを特徴とするマンホールの嵩上げ工法である。
【手続補正８】
【補正対象書類名】明細書
【補正対象項目名】００１６
【補正方法】変更
【補正の内容】
【００１６】  本発明の第１の発明となるマンホールの嵩上げ部材によれば、嵩上げ部材の嵌め込み部に溝または横穴、さらには縦穴が設けられており、これら溝、横穴、縦穴を利用した接着剤の充填または溶接作業により、嵌め込み部を受枠に固定することができる。したがって、受枠の上に嵩上げ部材を設置することでマンホールの嵩上げが行え、設置に厳密な位置合せが不要となり、さらに面倒なボルト締め作業も不要となる。
【手続補正９】
【補正対象書類名】明細書
【補正対象項目名】００２２
【補正方法】変更
【補正の内容】
【００２２】  次ぎに、マンホール蓋２０を設置する場合に通常使われている受枠３０について説明する。この受枠３０はマンホール蓋２０と同じく円盤状であり、マンホール蓋２０を支持する筒状部３１を有し、筒状部３１の内壁は開口端部３３に向かって上に拡開するテーパ面３２を有する。筒状部３１を構成する壁の内部中段には段部３４が形成されている。
【手続補正１０】
【補正対象書類名】明細書
【補正対象項目名】００２４
【補正方法】変更
【補正の内容】
【００２４】  溝４６は接着剤が充填されるものとなり、受枠３０に嵩上げ部材４０を接着固定する役割を果たす。また横穴４７に接着剤が充填されることにより、受枠３０に嵩上げ部材４０接着固定する役割を果たす。この他、横穴４７を介して嵩上げ部材４０を受枠２０に溶接することにより、受枠３０に嵩上げ部材４０を固定するようにしてもよい。
嵩上げ部材４０の受部４３は、上端部４８側から筒状部４１の内壁途中までマンホール蓋２０のテーパ面２１を支持する上側テーパ面５０を有するとともに、マンホール蓋２０の下部端面を支持する上側段部４９を有している。
さらにこの嵩上げ部材４０について、図３に示すように、受部４３には、その受部４３を構成する壁の上端部４８から下側段部４４を貫通する縦穴５１が形成されている。
【手続補正１１】
【補正対象書類名】明細書
【補正対象項目名】００２５
【補正方法】変更
【補正の内容】
【００２５】  次ぎに、この嵩上げ部材４０を用いてマンホールを嵩上げする工法の例について説明する。
マンホールの嵩上げ工法の第１の例として、図２で説明した嵩上げ部材４０として、下側テーパ面４５に溝４６を形成しているものについて説明する。
嵩上げ部材４０の溝４６の領域に、例えば、エポキシ系の接着剤（図示せず）を充填しておく。そののち、この嵩上げ部材４０を図１のマンホール本体１０に設置する。詳しくは、図２に示している受枠３０の筒状部３１に嵩上げ部材４０を挿入し、嵌め込み部４２を嵌め込む作業を行う。この作業で接着剤が硬化し、嵩上げ部材４０が受枠３０に固定される。次いで、嵩上げ部材４０の筒状部４１にマンホール蓋２０を挿入、嵌め込む。この作業で陥没していたマンホールの補修を完了する。
【手続補正１２】
【補正対象書類名】明細書
【補正対象項目名】００２８
【補正方法】変更
【補正の内容】
【００２８】  さらにまた、本発明のマンホールの嵩上げ工法に関連する第４の例について、図３にもとづいて説明する。ここでは、図２において示した箇所で重複するものは説明を省略する。
図３は、嵩上げ部材４０の一部断面斜視図を示している。図３において、嵩上げ部材４０において、嵌め込み部４１に横穴４７を有するとともに、受部４３には、その受部４３を構成する壁の上端部４８から下側段部４４を貫通する縦穴５１が形成されている。この縦穴５１には接着剤が充填され、硬化することで、受枠３０に固定されている。または縦穴５１を介して嵩上げ部材４０が受枠３０に溶接されて固定される。
なお、この第４の例において、横穴４７を形成せず、縦穴５１を形成した嵩上げ部材としてもよい。
【手続補正１４】
【補正対象書類名】図面
【補正対象項目名】図１
【補正方法】変更
【補正の内容】
【図１】
2018003575.tif 000007